(57)【要約】【課題】  従来の棚板支持構造は、棚板が不安定になるおそれがあり、またコスト高であった。【解決手段】  本件棚板支持部材は、細長のレールと、レール通路内に収容配置される可動コマと、レール内に収容配置された可動コマにレールの外側から固定される棚板受具と、可動コマと棚板受具とをネジ止めする連結ネジとを備え、棚板受具は、棚板を嵌め込む棚板嵌入溝と、前記棚板嵌入溝に嵌め込んだ棚板を下から支持する棚板支持部とを備え、連結ネジの締付けにより、棚板受具と可動コマとでレールの前側板をその内側と外側から挟着固定し、前記連結ネジを緩めて前記挟着を解除すると可動コマと共にレールの通路に沿ってスライドさせて棚板受具の位置を調節可能とするものである。また、可動コマにコマ用バネを備えることもできる。更に、ガスケット係止溝を設けることもできる。本件棚板支持構造は、前記部材を用いて棚板を壁面に支持固定するものである。【選択図】  図１
2008206751.tif 000002
【特許請求の範囲】
【請求項１】
次の（１）〜（５）の構成を備えたことを特徴とする棚板支持部材。
（１）建物の下地材の前面に横向きに宛がってレール止め具で取付け可能な細長のレールと、レール通路内にその長手方向にスライド可能に収容配置される可動コマと、レールの前面に宛がってレール通路内の可動コマに連結ネジで固定される棚板受具を備え、
（２）前記レールはほぼＣ型の金属製の細長材であり、レール背面板とレール前面板の間に前記レール通路が形成され、レール前面板の幅方向中央部に前方開口のレール開口溝が形成され、レール背面板にはレールを前記下地材に取付けるレール止め具を差し込むための止め孔が開口され、
（３）前記可動コマは金属製であってレール通路内にスライド自在に収容でき、前記連結ネジをねじ込み可能なネジ孔が形成され、
（４）前記棚板受具は、レール前面板に宛がう宛部の前面に棚板嵌入溝が開口され、棚板嵌入溝の前方にその棚板嵌入溝に嵌め込まれた棚板を下から支持する棚板支持部が形成され、棚板嵌入溝の奥の宛部には宛部を可動コマに取り付けるための連結ネジを差し込む貫通孔が開口され、
（５）前記棚板受具はレール前面板に宛がわれた宛部の貫通孔から差し込んだ連結ネジがレール開口溝を通してレール通路内の可動コマのネジ孔にねじ込むことにより可動コマに連結され、その連結ネジをねじ込むと宛部と可動コマとでレール前面板が挟着されてレールに固定され、前記連結ネジのねじ込みを緩めて前記挟着を解除すると可動コマと共にレールの通路に沿ってスライド可能となり、そのスライドにより棚板受具の位置を調節可能である。
【請求項２】
請求項１記載の棚板支持部材において、可動コマはコマ本体にコマ用バネが備えられ、コマ用バネはコマ本体の外周にセット可能な方形の枠状であって両側板に外側に弧状に膨出する膨出部が形成され、膨出部は被せたコマ本体の幅方向両側面から外側に突出し、両側板は膨出部を外側から内側に押すと内側に湾曲し、その押しが解除されると外側に復元するバネ性を備えるものであることを特徴とする棚板支持部材。
【請求項３】
請求項１又は請求項２記載の棚板支持部材において、棚板受具の棚板支持部に、その上面に開口するガスケット係止溝が設けられたことを特徴とする棚板支持部材。
【請求項４】
請求項１ないし請求項３のいずれかに記載の棚板支持部材が使用され、その棚板受具の棚板嵌入溝に断面形状コ字状のガスケットを嵌合してそのガスケットの内側に、又はガスケットを嵌合しない棚板嵌入溝の内側に棚板の背面端部が差し込まれ、その棚板の底面が棚板受具の棚板支持部で支持されたことを特徴とする棚板支持構造。
【請求項５】
請求項４記載の棚板支持構造において、棚板受具の棚板嵌入溝に嵌合されたガスケットの底面に突設されたガスケット係止突起が、棚板受具の棚板支持部の上面に開口して設けられたガスケット係止溝に嵌入係止されたことを特徴とする棚板支持構造。
【請求項６】
請求項４又は請求項５記載の棚板支持構造において、棚板の外側のレール開口溝に化粧板を嵌入して、化粧板でレール前面板を被覆したことを特徴とする棚板支持構造。
【発明の詳細な説明】
【技術分野】
【０００１】
本発明は、化粧品類や日用品類といった各種物品を載置するための棚板を壁面に支持・固定可能な棚板支持部材及びそれを使用した棚板支持構造に関するものである。
【背景技術】
【０００２】
従来、各種物品を載置する棚板を壁面に支持・固定するためには、図６に示すような棚板支持構造が用いられていた。この棚板支持構造においては、図６に示すように、柱、間柱、胴縁等の下地材Ａの前面にフレームＢをビスＣによって固定し、そのフレームＢの壁パネル取付溝Ｄ内に壁パネルＥをセットして壁面Ｆが形成されている。壁パネル取付溝Ｄ内には壁パネル係止突起Ｇが形成され、壁パネルＥの端部に形成された溝Ｈに嵌入されて、壁パネルＥが脱落しないように保持されている。このときフレームＢには、同図に示すように、断面鉤状の棚板受具取付溝Ｉが形成されている。前記棚板受具取付溝Ｉ内には、棚板受具Ｊの係止舌部Ｋが嵌め込まれ、棚板受具Ｊが壁面Ｆに固定されるようにしてある。棚板受具Ｊは、棚板嵌入溝Ｌに棚板Ｍを嵌め込み、その棚板嵌入溝Ｌに嵌め込んだ棚板Ｍを棚板支持部Ｎで支持して、棚板Ｍを壁面Ｆに固定する。棚板Ｍを棚板嵌入溝Ｌに嵌め込む際には、棚板Ｍと棚板嵌入溝Ｌとの間にガスケットＯを介在させることもできる。
【発明の開示】
【発明が解決しようとする課題】
【０００３】
図６に示す従来の棚板支持構造は、次のような課題があった。
（１）棚板Ｍを取付可能な壁面Ｆを形成するために、通常の壁材ではなく、内部にパネル係止突起Ｇを形成したパネル取付溝Ｄと、断面鉤状の棚板受具取付溝Ｉとが形成された特製のフレームＢと、パネル係止突起Ｇを嵌入可能な溝Ｈが端部に形成された特製の壁パネルＥを使用しなければならないため、コスト高となる。
（２）棚板受具Ｊの係止舌部Ｋを棚板受具取付溝Ｉ内に嵌め込んだ際、係止舌部Ｋを棚板受具取付溝Ｉ内で固定する手段がないため、棚板Ｍを位置決めできず、更に、係止舌部Ｋが棚板受具取付溝Ｉ内でがたついて棚板Ｍが不安定になるおそれもある。
【課題を解決するための手段】
【０００４】
本発明は、棚板の壁面への取付け位置を棚板受具を取外すことなく自在に変更でき、取付け強度も十分に確保できる安価な棚板支持部材及び棚板支持構造を提供するものである。
【０００５】
本件出願の請求項１記載の棚板支持部材は、次の（１）〜（５）の構成を備えたものである。
（１）建物の下地材の前面に横向きに宛がってレール止め具で取付け可能な細長のレールと、レール通路内にその長手方向にスライド可能に収容配置される可動コマと、レールの前面に宛がってレール通路内の可動コマに連結ネジで固定される棚板受具を備え、
（２）前記レールはほぼＣ型の金属製の細長材であり、レール背面板とレール前面板の間に前記レール通路が形成され、レール前面板の幅方向中央部に前方開口のレール開口溝が形成され、レール背面板にはレールを前記下地材に取付けるレール止め具を差し込むための止め孔が開口され、
（３）前記可動コマは金属製であってレール通路内にスライド自在に収容でき、前記連結ネジをねじ込み可能なネジ孔が形成され、
（４）前記棚板受具は、レール前面板に宛がう宛部の前面に棚板嵌入溝が開口され、棚板嵌入溝の前方にその棚板嵌入溝に嵌め込まれた棚板を下から支持する棚板支持部が形成され、棚板嵌入溝の奥の宛部には宛部を可動コマに取り付けるための連結ネジを差し込む貫通孔が開口され、
（５）前記棚板受具はレール前面板に宛がわれた宛部の貫通孔から差し込んだ連結ネジがレール開口溝を通してレール通路内の可動コマのネジ孔にねじ込むことにより可動コマに連結され、その連結ネジをねじ込むと宛部と可動コマとでレール前面板が挟着されてレールに固定され、前記連結ネジのねじ込みを緩めて前記挟着を解除すると可動コマと共にレールの通路に沿ってスライド可能となり、そのスライドにより棚板受具の位置を調節可能である。
【０００６】
本件出願の請求項２記載の棚板支持部材は、請求項１記載の棚板支持部材において、可動コマはコマ本体にコマ用バネが備えられ、コマ用バネはコマ本体の外周にセット可能な方形の枠状であって両側板に外側に弧状に膨出する膨出部が形成され、膨出部は被せたコマ本体の幅方向両側面から外側に突出し、両側板は膨出部を外側から内側に押すと内側に湾曲し、その押しが解除されると外側に復元するバネ性を備えるものであることを特徴とするものである。
【０００７】
本件出願の請求項３記載の棚板支持部材は、請求項１又は請求項２記載の棚板支持部材において、棚板受具の棚板支持部に、その上面に開口するガスケット係止溝が設けられたものである。
【０００８】
本件出願の請求項４記載の棚板支持構造は、請求項１ないし請求項３のいずれかに記載の棚板支持部材が使用され、その棚板受具の棚板嵌入溝に断面形状コ字状のガスケットを嵌合してそのガスケットの内側に、又はガスケットを嵌合しない棚板嵌入溝の内側に棚板の背面端部が差し込まれ、その棚板の底面が棚板受具の棚板支持部で支持されたものである。
【０００９】
本件出願の請求項５記載の棚板支持構造は、請求項４記載の棚板支持構造において、棚板受具の棚板嵌入溝に嵌合されたガスケットの底面に突設されたガスケット係止突起が、棚板受具の棚板支持部の上面に開口して設けられたガスケット係止溝に嵌入係止されたものである。
【００１０】
本件出願の請求項６記載の棚板支持構造は、請求項４又は請求項５記載の棚板支持構造において、棚板の外側のレール開口溝に化粧板を嵌入して、化粧板でレール前面板を被覆したものである。
【発明の効果】
【００１１】
本件出願の請求項１記載の棚板支持部材は、次のような効果がある。
（１）棚板受具は、連結ネジを可動コマのネジ孔にねじ込んで締付けることにより、宛部と可動コマとでレール前面板を挟着固定できるので、棚板ががたつかないように壁面に固定でき、棚板が安定する。また棚板の取付け強度も十分となる。
（２）棚板受具は、連結ネジのねじ込みを緩めて挟着固定を解除すると可動コマと共にレールの通路に沿ってスライド可能となり、そのスライドにより棚板受具の位置を調節可能であるため、棚板受具を取り外さずに位置調節を容易に行うことができる。
（３）レールの両側には、通常の壁材を配置することができるため、壁材に特殊な加工を施す必要などもなく、コスト減に資する。
【００１２】
本件出願の請求項２記載の棚板支持部材は、上記各効果に加えて次のような効果がある。
（１）可動コマにコマ用バネが備えられているので、可動コマをレール通路内にセットすると、コマ用バネの膨出部がレール通路の内壁面に接触し、可動コマがレール内で左右に傾かず、がたつきも無く、レール内をスムースにスライドできる。また、スライドを停止させて可動コマを任意位置に停止させることもできる。
【００１３】
本件出願の請求項３記載の棚板支持部材は、上記各効果に加えて次のような効果がある。
（１）ガスケット係止溝を設けたので、ガスケットを介して棚板を棚板受具に取付けることができ、棚板のがたつきや損傷を防ぐことができる。
【００１４】
本件出願の請求項４記載の棚板支持構造は、上記各効果に加えて次のような効果がある。
（１）ガスケットを嵌合してそのガスケットの内側に棚板の背面端部を差し込めば、棚板のがたつきや損傷を防ぐことができる。また、ガスケットを省略した場合、棚板支持構造を簡素にすることができる。
（２）レールの両側には、通常の壁材を配置することができるため、壁材に特殊な加工を施す必要などもなく、コスト減に資する。
【００１５】
本件出願の請求項５記載の棚板支持構造は、上記各効果に加えて次のような効果がある。
（１）棚板受具の棚板嵌入溝に嵌合されたガスケットの底面に突設されたガスケット係止突起が、棚板受具の棚板支持部の上面に開口して設けられたガスケット係止溝に嵌入係止されたので、ガスケットが棚板嵌入溝から脱落せず、棚板の取付が確実になる。
【００１６】
本件出願の請求項６記載の棚板支持構造は、上記各効果に加えて次のような効果がある。
（１）棚板の外側のレール開口溝に化粧板を嵌入して、化粧板でレール前面板を被覆したため、レール開口溝及びレール通路がカバーされて外部から見えなくなるため、体裁が良くなる。
【発明を実施するための最良の形態】
【００１７】
（棚板支持部材の実施形態１）
本発明の棚板支持部材の実施形態の一例を、図１〜図５を用いて詳細に説明する。この棚板支持部材は、各種物品を載置可能な棚板を室内外の壁面に取り付けられるものであり、レール２、可動コマ４、棚板受具６、連結ネジ７を備えている。
【００１８】
前記レール２は、図１、図２に示すようにほぼＣ字型の細長材であり、市販のＣチャンネル鋼材を使用することができる。レール２の素材は金属製であることが耐久性等の点から望ましいが、硬質樹脂製等、任意の素材製とすることもできる。レール２の内側には、前記可動コマ４をスライド可能なレール通路３が形成されている（図３、図４参照）。レール通路３はレール２の長手方向（軸方向）に沿って形成され、長手方向両端面がレール２の両端面に開口されている。レール２の前面の幅方向中央部分にはレール開口溝１６がレールの長手方向に開口され、レール開口溝１６の両側はレール前面板５としてある。
【００１９】
レール２のレール背面板１７は、図１に示すように平らに形成され、長手方向に所定間隔を開けて止め孔１８が開口されている（図４参照）。前記止め孔１８には、図１、図４に示すように、レール止め具としてビス１９を挿通させて胴縁、柱、間柱等の下地材１にねじ込み、レール２を下地材１の前面に固定することができるようにしてある。レール止め具は、図１に示すビス１９には限られず、釘、タッピングネジ等任意の止め具を使用することができる。
【００２０】
前記可動コマ４は、図３〜図５に示すように、レール２のレール通路３内にレール２の軸方向にスライド可能にセットするものであり、レール通路３内にセットするコマ本体２１とそのコマ本体２１にセットされたコマ用バネ２２を備えている。図５に示すように、コマ本体２１は細長であり、長手方向両端部に角型のブロック２３が形成され、その間に平行な二枚の細長板２４を成形して、使用材料を軽減し、軽量化し、レールの通路内壁面との接触面積を小さくしてレール通路３内をスライドし易くし、コマ用バネ２２をセットし易くしてある。また、細長板２４の両端（ブロック２３寄り付け根部分）に嵌合受け凹部２５が形成されている。夫々のブロック２３は、図３、図４に示すようにレール２のレール通路３内に収容できる幅に形成され、前面部２６はレール２のレール前面板５の内壁と面接触できるように平滑にされ、背面幅方向中央部には逃げ溝２７が設けられ、レール２のレール背面板１７の止め孔１８にねじ込んだビス１９の頭と接触しないようにしてある。コマ本体２１は、金属製、硬質樹脂製といった各種材料で成形できるが、金属、特に真鍮製がレール２内での安定性、スライドし易さ、磨耗しにくさ等の面から好ましい。コマ本体２１の幅及び厚さはレール２のレール通路３の幅及び奥行きより小さくして、レール通路３内に収容し易くするとともにレール通路３内をその軸方向にスムースにスライドできるようにしてある。コマ本体２１の長さは、前記棚板受具６の幅に応じて任意とすることができるが、例えば数ｃｍ〜数十ｃｍ程度が適する。可動コマ４のブロック２３の中央には、ボルト、ビス等の連結ネジ７をねじ込み可能な前記ネジ孔１１が前面から背面に貫通して開口されている。
【００２１】
前記コマ用バネ２２は、図５に示すように角形枠状に成形されており、幅方向枠部２９の背面二箇所に前記コマ本体２１に被せる嵌合凹部３０が設けられ、軸方向枠部３１の中央部に、外側に円弧状に膨出する膨出部３２が形成され、膨出部３２は前記嵌合凹部３０をコマ本体２１に被せるとコマ本体２１の幅方向両側面から外側に突出するように膨出している（図３参照）。前記軸方向枠部３１は、膨出部３２を外側から内側に押すと内側に湾曲（変形）し、その押しが解除されると外側に復元するバネ性を備えている。このコマ用バネ２２は樹脂、金属、ゴムといった任意の材質製とすることができる。
【００２２】
前記コマ用バネ２２は、図３〜図５に示すように、その嵌合凹部３０をコマ本体２１の嵌合受け凹部２５に被せて、両ブロック２３間にセットしてある。セットされたコマ用バネ２２はその膨出部３２がブロック２３の外側に突出しており、図４のように可動コマ４をレール２のレール通路３内にセットすると、膨出部３２がレール通路３の内壁面により内側に押されて内側に変形し、その状態でレール通路３の内壁面に圧接するようにしてある。この圧接と、レール通路３の内壁面への二つのブロック２３の接触により、可動コマがレール通路３の軸方向に真っ直ぐにセットされ、傾いたり、がたついたりすることがなく、レール通路３内をスムースにスライドできるようにしてある。
【００２３】
前記棚板受具６は、図１、図２に示すように、ガスケット１４を介して棚板１５の背面端部を嵌め込み可能な棚板嵌入溝１２と、前記棚板嵌入溝１２に嵌め込んだ棚板１５を下側から支持する棚板支持部１３と、前記可動コマ４に棚板受具６を取付けるための宛部３３とを備える部材である。前記棚板嵌入溝１２は、前面側に開口している。前記宛部３３は背面板３４の一部であって、前記棚板嵌入溝１２の奥に形成されており、連結ネジ７を貫通可能な貫通孔１０が開口されている。背面板３４の下端部には、図１に示すように、壁面に当接させて棚板受具６を安定させられる当接突起３５が設けられている。前記棚板支持部１３は棚板嵌入溝１２の前方に設けられ、その棚板支持部１３の上面には、棚板嵌入溝１２内に嵌入するガスケット１４を係止するためのガスケット係止溝３６が上面に開口して設けられている。また、この棚板受具６は、図１、図２に示すように、棚板支持部１３の前端部と、背面板３４の下端部とを連結する補強部３７も一体に形成されている。補強部３７は、同図に示すように曲面板としてある。前記棚板支持部１３は、図２では板状に形成されているが、棚板１５を下から支持可能であれば、網状、棒状等、任意の形状、構造とすることができる。棚板受具６の素材は金属製であることが耐久性等の点から望ましいが、硬質樹脂製等、任意の素材製とすることもできる。
【００２４】
前記棚板嵌入溝１２には、図１、図２に示すように、棚板保護用のガスケット１４を嵌め込んだ上で棚板１５を嵌め込み可能としてある。前記ガスケット１４は、ゴム、ウレタン等の可撓性のある樹脂製部材であって、棚板嵌入溝１２に嵌め込み可能な大きさの断面コ字型に形成されている。ガスケット１４は、棚板１５を嵌入可能な断面形状コ字形に形成されている。ガスケット１４の開口部外側には、前記棚板支持部１３のガスケット係止溝３６に嵌め込んで、棚板嵌入溝１２に嵌め込んだガスケット１４を係止可能なガスケット係止突起３８が形成されている。ガスケット１４の開口部内側には、嵌め込まれる棚板１５の脱落を防止する棚板保持爪３９が上下に形成されている。ガスケット１４を嵌め込んだ棚板嵌入溝１２に嵌入する棚板１５は、木、金属、ガラス等、任意の素材製の板材を用いることができる。
【００２５】
前記棚板受具６の側面の開口部４０は、図２に示すようにカバー４１で閉塞可能としてある。前記カバー４１は、棚板受具６の側面の開口部４０に適合する形状の板部４２と、開口部４０の角部付近に夫々差込み可能な三本の軸部４３とを備え、三本の軸部４３を開口部４０内に挿入して開口部４０を閉塞可能である。
【００２６】
前記連結ネジ７は、図１ではボルトである。連結ネジ７はボルトに限られずビス、タッピングネジといった任意のネジ類とすることができる。連結ネジ７は前記棚板受具６の宛部３３に開口された貫通孔１０を貫通可能であり、更に、レール２のレール開口溝１６を通して、レール２のレール通路３内にセットされている可動コマ４のネジ孔１１にねじ込んで締め付けることにより、宛部３３と可動コマ４とでレール２のレール前面板５をその内側と外側とから挟着固定可能であり、この挟着固定により棚板受具６を位置決めすることができる。締め付けた連結ネジ７を緩めて前記挟着固定を解除すると可動コマと共にレール２のレール通路３に沿ってスライド可能となり、そのスライドにより棚板受具６の位置を調節可能である。
【００２７】
（棚板支持部材の実施形態２）
本発明の棚板支持部材では、レール２のレール背面板１７に、レール２の幅方向両端から両側方に突出させて横長の取付けプレート（図示しない）を取付け、その取付けプレートの突出部にも止め孔１８を開口させて、レール２を下地材１に確実に固定できるようにすることもできる。取付けプレートはレール２の長手方向に間隔を開けて複数枚取付けることができる。その場合、取付けプレートの設置枚数、設置位置、設置間隔は任意とすることができる。取付けプレートのレール２への取付けは溶接、接着等の任意の方法で行うことができる。
【００２８】
（棚板支持部材の実施形態３）
本発明の棚板支持部材では、可動コマ４は、コマ用バネ２２を省略してコマ本体２１単体で使用することもできる。その場合、コマ本体２１の形状は、図３〜図５に示すものには限られず、任意とすることができるが、レール２のレール通路３内をスムースにスライド可能な形状とすることが望ましい。
【００２９】
（棚板支持構造の実施形態１）
本発明の棚板支持部材による棚板支持構造の実施形態の一例を図１、図２を用いて詳細に説明する。この棚板支持構造では、図１に示すように、建物の胴縁を下地材１として用い、レール２が前記下地材１の前面に、下地材１の長手方向に沿って取付けられている。
レール２はそのレール背面板１７を下地材１の前面に宛がって、レールの止め孔１８（図４）にレール止め具としてビス１９をねじ込んで下地材の前面に固定されている。レール２を取付ける下地材１は胴縁には限られず、柱や間柱等であってもよい。
【００３０】
下地材１の前面に固定したレール２の上下には、図１に示すように、壁材２０が配置固定されている。このとき、図１に示すように、レール２のレール前面板５が壁材２０表面（壁面）より数ｍｍ〜数ｃｍ前方に突出するようにしてある。
【００３１】
図１、図２に示すように、前記下地材１に固定されたレール２内のレール通路３には可動コマ４が収容され、レール２のレール前面板５には棚板受具６が宛がわれ、連結ネジ７を棚板受具６の貫通孔１０と可動コマ４のネジ孔１１にねじ込んで締付けることで、棚板受具６と可動コマ４とで、レール２のレール前面板５を挟着固定可能となり、その挟着固定により棚板受具６を位置決め可能とし、連結ネジ７の締付けを緩めて前記挟着固定を解除すると可動コマ４をレール２のレール通路３に沿ってスライド可能となり、そのスライドにより棚板受具６の位置を調節可能としてある。
【００３２】
レール２に棚板受具６を位置決めした後に、棚板受具６の棚板嵌入溝１２内には断面形状コ字形のガスケット１４が嵌入され、ガスケット１４を嵌め込んだ上で棚板１５の背面端部が嵌めこまれている。ガスケット１４は、図１に示すように、ガスケット係止溝３６にガスケット係止突起３８を嵌め込んで、ガスケット１４が棚板嵌入溝１２から脱落しないようにしてある。そのガスケット１４内に嵌め込まれた棚板１５は、ガスケット１４の開口部内側に形成された棚板保持爪３９によって、ガスケット１４から脱落しないように保持されている。
【００３３】
棚板受具６の側面の開口部４０には、図２に示すようにカバー４１が取付けられている。カバー４１は、三本の軸部４３を開口部４０内に挿入して、板部４２によって開口部４０を閉塞している。
【００３４】
本発明の棚板支持構造では、図２に示すように、棚板１５を固定したレール２のレール前面板５のうち、棚板固定箇所以外の箇所に化粧板４５が被覆されている。化粧板４５は同図に示すように被覆板４６の後方に嵌入突起４７が被覆板４６の長手方向に沿って突設されて端面形状Ｔ字形に成形されている。その材質は特に限定されないが、樹脂にすると成形が容易となる。化粧板４５はレール２の開口溝に嵌入突起４７を圧入し、被覆板４６でレール２の前面を被覆してある。さらに、壁面と化粧板４５の前面の上に、樹脂製、紙製、布製等のクロス材を貼って壁面を仕上げることもできる。この化粧板４５は、省略することもできる。
【００３５】
（棚板支持構造の実施形態２）
本発明の棚板支持構造では、ガスケット１４を省略して、棚板１５を直接棚板嵌入溝１２内に嵌め込むこともできる。その場合、棚板嵌入溝１２に嵌め込んだ棚板１５を、任意の手段で固定して、棚板嵌入溝１２からの脱落を防止することが望ましい。
【産業上の利用可能性】
【００３６】
本発明の棚板支持部材及び棚板支持構造は、棚板を支持する場合には限られず、建物の床や天井等に、手すり等の他の物品を取付けたり、屋外の塀等にそれら物品を取付けたりする場合にも利用することができる。
【図面の簡単な説明】
【００３７】
【図１】本発明の棚板支持部材を用いた棚板支持構造の実施形態の一例を示す側面断面図。
【図２】図１の棚板支持構造に用いる棚板支持部材を示す分解斜視説明図。
【図３】図１の棚板支持構造に用いるレール及び可動コマを示す斜視説明図。
【図４】図３のレール内に可動コマをセットした様子を示す斜視説明図。
【図５】図３、図４に示す可動コマの分解斜視説明図。
【図６】従来の棚板支持構造を示す側面断面図。
【符号の説明】
【００３８】
１  胴縁
２  レール
３  レール通路
４  可動コマ
５  レール前面板
６  棚板受具
７  固定具
１０  貫通孔
１１  ネジ孔
１２  棚板嵌入溝
１３  棚板支持部
１４  ガスケット
１５  棚板
１６  レール開口溝
１７  レール背面板
１８  止め孔
１９  ビス
２０  壁材
２１  コマ本体
２２  コマ用バネ
３３  宛部
４５  化粧板
【図１】
2008206751.tif 000003
【図２】
2008206751.tif 000004
【図３】
2008206751.tif 000005
【図４】
2008206751.tif 000006
【図５】
2008206751.tif 000007
【図６】
2008206751.tif 000008